(57)【要約】【課題】  音声通話やデータ通信を安価に実現すると共に、バッテリの消費電力を抑え、携帯電話機としての使い勝手を高める。【解決手段】  着信側の携帯電話機３１は、発信側の携帯電話機１１から無線ＬＡＮ起動要求信号が受信されると、無線ＬＡＮ通信部を起動させ、無線ＬＡＮ通信部が通信可能であると、その旨を表す無線ＬＡＮ起動応答信号を発信側の携帯電話機１１へ送信する。発信側の携帯電話機１１は、着信側の携帯電話機３１から無線ＬＡＮ起動応答信号が受信されると、無線ＬＡＮ通信部により着信側の携帯電話機３１を発信先とする発信動作を行って自機１１と着信側の携帯電話機３１との音声通話をＩＰ網６１を通じて行う。【選択図】  図１
2006129020.tif 000002
【特許請求の範囲】
【請求項１】
携帯電話網に接続可能な発信側携帯電話通信手段、ＩＰ網に接続可能な発信側無線ＬＡＮ通信手段及び発信側制御手段を備えた発信側携帯電話機と、
携帯電話網に接続可能な着信側携帯電話通信手段、ＩＰ網に接続可能な着信側無線ＬＡＮ通信手段及び着信側制御手段を備えた着信側携帯電話機とを具備した携帯電話システムであって、
前記発信側制御手段は、無線ＬＡＮ起動要求信号を前記発信側携帯電話通信手段から前記着信側携帯電話機へ送信させ、
前記着信側制御手段は、前記発信側携帯電話通信手段から無線ＬＡＮ起動要求信号が前記着信側携帯電話通信手段に受信された場合に、前記着信側無線ＬＡＮ通信手段を起動させ、前記着信側無線ＬＡＮ通信手段が通信可能である場合に、その旨を表す無線ＬＡＮ起動応答信号を前記着信側無線ＬＡＮ通信手段または前記着信側携帯電話通信手段から前記発信側携帯電話機へ送信させ、
前記発信側制御手段は、前記着信側携帯電話機から無線ＬＡＮ起動応答信号が前記発信側無線ＬＡＮ通信手段または前記発信側携帯電話通信手段に受信された場合に、前記発信側無線ＬＡＮ通信手段に前記着信側携帯電話機を発信先とする発信動作を行わせて前記発信側携帯電話機と前記着信側携帯電話機との音声通話やデータ通信をＩＰ網を通じて行わせることを特徴とする携帯電話システム。
【請求項２】
請求項１に記載した携帯電話システムにおいて、
前記着信側制御手段は、無線ＬＡＮ起動応答信号を前記着信側無線ＬＡＮ通信手段から前記発信側携帯電話機へ送信させることを特徴とする携帯電話システム。
【請求項３】
携帯電話網に接続可能な発信側携帯電話通信手段、ＩＰ網に接続可能な発信側無線ＬＡＮ通信手段及び発信側制御手段を備えた発信側携帯電話機と、
携帯電話網に接続可能な着信側携帯電話通信手段、ＩＰ網に接続可能な着信側無線ＬＡＮ通信手段及び着信側制御手段を備えた着信側携帯電話機とを具備した携帯電話システムであって、
前記発信側制御手段は、無線ＬＡＮ起動要求信号を前記発信側携帯電話通信手段から前記着信側携帯電話機へ送信させ、
前記着信側制御手段は、前記発信側携帯電話機から無線ＬＡＮ起動要求信号が前記着信側携帯電話通信手段に受信された場合に、前記着信側無線ＬＡＮ通信手段を起動させ、前記着信側無線ＬＡＮ通信手段が通信可能である場合に、前記着信側無線ＬＡＮ通信手段に前記発信側携帯電話機を発信先とする発信動作を行わせて前記着信側携帯電話機と前記発信側携帯電話機との音声通話やデータ通信をＩＰ網を通じて行わせることを特徴とする携帯電話システム。
【請求項４】
請求項１ないし３のいずれかに記載した携帯電話システムにおいて、
前記発信側制御手段は、無線ＬＡＮ起動要求信号を前記発信側携帯電話通信手段から前記着信側携帯電話機へ送信させる場合に、前記発信側携帯電話機に割当てられているＩＰアドレスをも前記発信側携帯電話通信手段から前記着信側携帯電話機へ送信させることを特徴とする携帯電話システム。
【請求項５】
請求項１ないし４のいずれかに記載した携帯電話システムにおいて、
前記着信側制御手段は、前記発信側携帯電話通信手段から無線ＬＡＮ起動要求信号が前記着信側携帯電話通信手段に受信された場合に、前記着信側携帯電話機が移動状態にあるか否かを判定し、前記着信側携帯電話機が移動状態にない場合には前記着信側無線ＬＡＮ通信手段を起動させ、前記着信側携帯電話機が移動状態にある場合には前記着信側無線ＬＡＮ通信手段を起動させないことを特徴とする携帯電話システム。
【請求項６】
携帯電話網に接続可能であると共にＩＰ網に接続可能に構成された他の携帯電話機と共に携帯電話システム内で用いられ、携帯電話網に接続可能な携帯電話通信手段と、ＩＰ網に接続可能な無線ＬＡＮ通信手段とを備えた携帯電話機であって、
無線ＬＡＮ起動要求信号を前記携帯電話通信手段から前記他の携帯電話機へ送信させ、前記他の携帯電話機から無線ＬＡＮ起動応答信号が前記無線ＬＡＮ通信手段または前記携帯電話通信手段に受信された場合に、前記無線ＬＡＮ通信手段に前記他の携帯電話機を発信先とする発信動作を行わせて自機と前記他の携帯電話機との音声通話やデータ通信をＩＰ網を通じて行わせる制御手段を備えたことを特徴とする携帯電話機。
【請求項７】
携帯電話網に接続可能であると共にＩＰ網に接続可能に構成された他の携帯電話機と共に携帯電話システム内で用いられ、携帯電話網に接続可能な携帯電話通信手段と、ＩＰ網に接続可能な無線ＬＡＮ通信手段とを備えた携帯電話機であって、
前記他の携帯電話機から無線ＬＡＮ起動要求信号が前記携帯電話通信手段に受信された場合に、前記無線ＬＡＮ通信手段を起動させ、前記無線ＬＡＮ通信手段が通信可能である場合に、その旨を表す無線ＬＡＮ起動応答信号を前記無線ＬＡＮ通信手段または前記携帯電話通信手段から前記他の携帯電話機へ送信させる制御手段を備えたことを特徴とする携帯電話機。
【請求項８】
携帯電話網に接続可能であると共にＩＰ網に接続可能に構成された他の携帯電話機と共に携帯電話システム内で用いられ、携帯電話網に接続可能な携帯電話通信手段と、ＩＰ網に接続可能な無線ＬＡＮ通信手段とを備えた携帯電話機であって、
前記他の携帯電話機から無線ＬＡＮ起動要求信号が前記携帯電話通信手段に受信された場合に、前記無線ＬＡＮ通信手段を起動させ、前記無線ＬＡＮ通信手段が通信可能である場合に、前記無線ＬＡＮ通信手段に前記他の携帯電話機を発信先とする発信動作を行わせて自機と前記他の携帯電話機との音声通話やデータ通信をＩＰ網を通じて行わせる制御手段を備えたことを特徴とする携帯電話機。
【発明の詳細な説明】
【技術分野】
【０００１】
本発明は、携帯電話機同士が音声通話やデータ通信をＩＰ網を通じて行うことが可能に構成された携帯電話システム及び前記携帯電話システム内で用いられる携帯電話機に関する。
【背景技術】
【０００２】
近年、音声通話やデータ通信をＩＰ（インターネット・プロトコル）網を通じて行うことが可能なＩＰ携帯電話機が供されている（例えば特許文献１参照）。
【特許文献１】特開２００４−２８２５０８号公報
【発明の開示】
【発明が解決しようとする課題】
【０００３】
この種のＩＰ携帯電話機では、例えば自宅やホットスポットと称される区域などの無線ＬＡＮ親機が近くに配置されている環境の下では、音声通話やデータ通信をＩＰ網を通じて行うことにより、音声通話やデータ通信を安価に実現することができる。ところで、このように音声通話やデータ通信をＩＰ網を通じて行うためには無線ＬＡＮ子機として機能する無線ＬＡＮ通信部が必要であるが、自機に着信させるためには無線ＬＡＮ通信部を常時起動させておく必要がある。しかしながら、無線ＬＡＮ通信部を常時起動させておく構成では、無線ＬＡＮ通信部の消費電力が大きいという事情から、バッテリの消費電力が大きくなり、携帯電話機としての使い勝手が低下するという問題がある。
【０００４】
本発明は、上記した事情に鑑みてなされたものであり、その目的は、音声通話やデータ通信をＩＰ網を通じて行うことにより、音声通話やデータ通信を安価に実現することができ、しかも、バッテリの消費電力を抑えることにより、携帯電話機としての使い勝手を高めることができる携帯電話システム及び携帯電話機を提供することにある。
【課題を解決するための手段】
【０００５】
請求項１に記載した携帯電話システムによれば、発信側制御手段は、無線ＬＡＮ起動要求信号を発信側携帯電話通信手段から着信側携帯電話機へ送信させる。次いで、着信側制御手段は、発信側携帯電話通信手段から無線ＬＡＮ起動要求信号が着信側携帯電話通信手段に受信されると、着信側無線ＬＡＮ通信手段を起動させ、着信側無線ＬＡＮ通信手段が通信可能であると、その旨を表す無線ＬＡＮ起動応答信号を着信側無線ＬＡＮ通信手段または着信側携帯電話通信手段から発信側携帯電話機へ送信させる。そして、発信側制御手段は、着信側携帯電話機から無線ＬＡＮ起動応答信号が発信側無線ＬＡＮ通信手段または発信側携帯電話通信手段に受信されると、発信側無線ＬＡＮ通信手段に着信側携帯電話機を発信先とする発信動作を行わせて発信側携帯電話機と着信側携帯電話機との音声通話やデータ通信をＩＰ網を通じて行わせる。
【０００６】
これにより、着信側携帯電話機では、発信側携帯電話機から無線ＬＡＮ起動要求信号が受信されて初めて着信側無線ＬＡＮ通信手段が起動することになるので、従来のものとは異なって、無線ＬＡＮ通信手段を常時起動させておく必要はなく、バッテリの消費電力を抑えることができ、携帯電話機としての使い勝手を高めることができる。しかも、着信側無線ＬＡＮ通信手段が起動した以後では、着信側無線ＬＡＮ通信手段が通信可能であると、発信側携帯電話機が着信側携帯電話機を発信先とする発信動作を行って自機と着信側携帯電話機との音声通話やデータ通信をＩＰ網を通じて行うことになるので、音声通話やデータ通信を安価に実現することができる。また、この場合は、最初に無線ＬＡＮ起動要求信号を着信側携帯電話機へ送信した発信側携帯電話機が発信動作を行うことになるので、発信者課金を適切に行うこともできる。
【０００７】
請求項２に記載した携帯電話システムによれば、着信側制御手段は、無線ＬＡＮ起動応答信号を着信側無線ＬＡＮ通信手段から発信側携帯電話機へ送信させる。これにより、着信側携帯電話機では、携帯電話網との接続を速やかに切断することが可能になり、携帯電話網との接続を速やかに切断することにより、携帯電話網の接続に要する課金を抑えることができる。
【０００８】
請求項３に記載した携帯電話システムによれば、発信側制御手段は、無線ＬＡＮ起動要求信号を発信側携帯電話通信手段から着信側携帯電話機へ送信させる。そして、着信側制御手段は、発信側携帯電話機から無線ＬＡＮ起動要求信号が着信側携帯電話通信手段に受信されると、着信側無線ＬＡＮ通信手段を起動させ、着信側無線ＬＡＮ通信手段が通信可能であると、着信側無線ＬＡＮ通信手段に発信側携帯電話機を発信先とする発信動作を行わせて着信側携帯電話機と発信側携帯電話機との音声通話やデータ通信をＩＰ網を通じて行わせる。
【０００９】
これにより、着信側携帯電話機では、発信側携帯電話機から無線ＬＡＮ起動要求信号が受信されて初めて着信側無線ＬＡＮ通信手段が起動することになるので、上記した請求項１に記載したものと同様にして、無線ＬＡＮ通信手段を常時起動させておく必要はなく、バッテリの消費電力を抑えることができ、携帯電話機としての使い勝手を高めることができる。しかも、着信側無線ＬＡＮ通信手段が起動した以後では、着信側無線ＬＡＮ通信手段が通信可能であると、着信側携帯電話機が発信側携帯電話機を発信先とする発信動作を行って自機と発信側携帯電話機との音声通話やデータ通信をＩＰ網を通じて行うことになるので、上記した請求項１に記載したものと同様にして、音声通話やデータ通信を安価に実現することができる。また、この場合は、発信側携帯電話機が発信動作を行うのではなく、着信側携帯電話機が発信動作を行うことになるので、発信者課金を行うことができないものの、着信側携帯電話機が無線ＬＡＮ起動応答信号を発信側携帯電話機へ送信する手順を省略することができ、音声通話やデータ通信を速やかに開始することができる。
【００１０】
請求項４に記載した携帯電話システムによれば、発信側制御手段は、無線ＬＡＮ起動要求信号を発信側携帯電話通信手段から着信側携帯電話機へ送信させる場合に、発信側携帯電話機に割当てられているＩＰアドレスをも発信側携帯電話通信手段から着信側携帯電話機へ送信させる。これにより、着信側携帯電話機が発信側携帯電話機に割当てられているＩＰアドレスを認識することが可能となるので、ＩＰ網が発信側携帯電話機の携帯電話番号とＩＰアドレスとの対応を管理する手間を不要とすることができ、発信側携帯電話機の携帯電話番号とＩＰアドレスとの対応を管理するＩＰサーバを不要とすることができる。
【００１１】
請求項５に記載した携帯電話システムによれば、着信側制御手段は、発信側携帯電話通信手段から無線ＬＡＮ起動要求信号が着信側携帯電話通信手段に受信されると、着信側携帯電話機が移動状態にあるか否かを判定し、着信側携帯電話機が移動状態にない場合には着信側無線ＬＡＮ通信手段を起動させ、着信側携帯電話機が移動状態にある場合には着信側無線ＬＡＮ通信手段を起動させない。これにより、例えば着信側携帯電話機を使用するユーザが運転中でなければ、音声通話やデータ通信を許可することができ、一方、着信側携帯電話機を使用するユーザが運転中であれば、音声通話やデータ通信を禁止することができ、着信側携帯電話機を使用するユーザの状況に応じて音声通話やデータ通信の禁止または許可を適切に選択することができる。
【００１２】
請求項６に記載した携帯電話機によれば、制御手段は、無線ＬＡＮ起動要求信号を携帯電話通信手段から他の携帯電話機へ送信させ、他の携帯電話機から無線ＬＡＮ起動応答信号が無線ＬＡＮ通信手段または携帯電話通信手段に受信されると、無線ＬＡＮ通信手段に他の携帯電話機を発信先とする発信動作を行わせて自機と他の携帯電話機との音声通話やデータ通信をＩＰ網を通じて行わせる。これにより、上記した請求項１に記載した携帯電話システム内の発信側携帯電話機として機能することができ、着信側携帯電話機である他の携帯電話機のバッテリの消費電力を抑えることができ、しかも、自機と他の携帯電話機との音声通話やデータ通信をＩＰ網を通じて行うことにより、自機と他の携帯電話機との音声通話やデータ通信を安価に実現することができる。
【００１３】
請求項７に記載した携帯電話機によれば、制御手段は、他の携帯電話機から無線ＬＡＮ起動要求信号が携帯電話通信手段に受信されると、無線ＬＡＮ通信手段を起動させ、無線ＬＡＮ通信手段が通信可能であると、その旨を表す無線ＬＡＮ起動応答信号を無線ＬＡＮ通信手段または携帯電話通信手段から他の携帯電話機へ送信させる。これにより、上記した請求項１に記載した携帯電話システム内の着信側携帯電話機として機能することができ、着信側携帯電話機である自機のバッテリの消費電力を抑えることができ、しかも、自機と他の携帯電話機との音声通話やデータ通信をＩＰ網を通じて行うことにより、自機と他の携帯電話機との音声通話やデータ通信を安価に実現することができる。
【００１４】
請求項８に記載した携帯電話機によれば、制御手段は、他の携帯電話機から無線ＬＡＮ起動要求信号が携帯電話通信手段に受信されると、無線ＬＡＮ通信手段を起動させ、無線ＬＡＮ通信手段が通信可能であると、無線ＬＡＮ通信手段に他の携帯電話機を発信先とする発信動作を行わせて自機と他の携帯電話機との音声通話やデータ通信をＩＰ網を通じて行わせる。これにより、上記した請求項３に記載した携帯電話システム内の着信側携帯電話機として機能することができ、着信側携帯電話機である自機のバッテリの消費電力を抑えることができ、しかも、自機と他の携帯電話機との音声通話やデータ通信をＩＰ網を通じて行うことにより、自機と他の携帯電話機との音声通話やデータ通信を安価に実現することができる。
【発明を実施するための最良の形態】
【００１５】
（第１の実施形態）
以下、本発明の第１の実施形態について、図１ないし図５を参照して説明する。図１は、携帯電話システムの全体構成を概略的に示している。携帯電話システム１は、ＩＰ携帯電話機（以下、単に携帯電話機と称する）１１とＩＰ携帯電話機（以下、単に携帯電話機と称する）３１とを備えて構成されている。尚、本実施形態では、これ以後、携帯電話機１１を本発明でいう発信側携帯電話機として説明すると共に、携帯電話機３１を本発明でいう着信側携帯電話機として説明する。
【００１６】
発信側の携帯電話機１１は、図２に示すように、制御部１２（本発明でいう発信側制御手段）、携帯電話通信部１３（本発明でいう発信側携帯電話通信手段）、無線ＬＡＮ通信部１４（本発明でいう発信側無線ＬＡＮ通信手段）、音声処理部１５、マイクロホン１６、スピーカ１７、表示部１８、操作受付部１９、記憶部２０及び電源制御部２１を備えて構成されている。
【００１７】
制御部１２は、マイクロコンピュータを主体として構成され、制御プログラムを実行して携帯電話機１１の動作全搬を制御する。携帯電話通信部１３は、携帯電話網５１を構成する携帯電話基地局との携帯電話通信を行う。無線ＬＡＮ通信部１４は、無線ＬＡＮ子機として機能し、ＩＰ網６１を構成する無線ＬＡＮ親機との無線ＬＡＮ通信を行う。音声処理部１５は、マイクロホン１６が送話音声として入力した音声及びスピーカ１７が受話音声として出力する音声を所定の音声処理アルゴリズムにしたがって音声処理する。
【００１８】
表示部１８は、例えば液晶ディスプレイから構成され、電波の受信状態や時刻や発信者電話番号などを表示する。操作受付部１９は、電源キーや数字キーなどが配列されて構成され、ユーザによるキー操作を受付ける。記憶部２０は、メモリから構成され、例えばユーザの個人情報や電話帳情報などを記憶する。電源制御部２１は、本体（図示せず）に着脱可能なバッテリ２２に接続され、上記した制御部１２、携帯電話通信部１３、無線ＬＡＮ通信部１４、音声処理部１５、表示部１８、操作受付部１９及び記憶部２０へ動作電力を供給する。
【００１９】
一方、着信側の携帯電話機３１は、図３に示すように、制御部３２（本発明でいう着信側制御手段）、携帯電話通信部３３（本発明でいう着信側携帯電話通信手段）、無線ＬＡＮ通信部３４（本発明でいう着信側無線ＬＡＮ通信手段）、音声処理部３５、マイクロホン３６、スピーカ３７、表示部３８、操作受付部３９、記憶部４０及び電源制御部４１を備えて構成されている。これら各部３２〜４１は、上記した発信側の携帯電話機１１の各部１２〜２１と同等の機能を有して構成されている。
【００２０】
尚、上記した発信側の携帯電話機１１及び着信側の携帯電話機３１において、制御部１２，３２は、携帯電話機１１，３１の電源が投入されている状態では、電源制御部２１，４１から動作電力を取込むと共に、電源制御部２１，４１から動作電力を携帯電話通信部１３，３３、音声処理部１５，３５、表示部１８，３８、操作受付部１９，３９及び記憶部２０，４０へ供給させるように構成されている共に、携帯電話機１１，３１の電源が投入されている状態で所定条件が成立した場合に限って電源制御部２１，４１から動作電力を無線ＬＡＮ通信部１４，３４へ供給させるように構成されている。また、携帯電話通信部１３，３３の消費電力と無線ＬＡＮ通信部１４，３４の消費電力とを比較すると、無線ＬＡＮ通信部１４，３４の消費電力の方が携帯電話通信部１３，３３の消費電力よりも大きく構成されている。
【００２１】
次に、上記した構成の作用について、図４及び図５を参照して説明する。ここで、図４及び図５は、発信側の携帯電話機１１の制御部１２及び着信側の携帯電話機３１の制御部３２が行う処理をフローチャートとして示している。尚、ここでは、発信側の携帯電話機１１及び着信側の携帯電話機３１の電源が投入されている状態を前提として説明する。
【００２２】
発信側の携帯電話機１１において、制御部１２は、携帯電話機１１の電源が投入されている状態では、ユーザにより発信操作が行われたか否かを判定している（ステップＳ１）。ここで、制御部１２は、ユーザにより例えば携帯電話番号が入力されて発信操作が行われた旨を検出すると（ステップＳ１にて「ＹＥＳ」）、電源制御部２１から動作電力を無線ＬＡＮ通信部１４へ供給させて無線ＬＡＮ通信部１４を起動させ（ステップＳ２）、無線ＬＡＮ親機との通信状態及び通信内容を判定し、発信側の無線ＬＡＮ通信部１４が通信可能（使用可能）であるか否かを確認する（ステップＳ３）。
【００２３】
ここで、制御部１２は、例えば電波環境が良好である旨や認証結果が正である旨を検出し、発信側の無線ＬＡＮ通信部１４が通信可能である旨を検出すると（ステップＳ４にて「ＹＥＳ」）、発信先の携帯電話機である着信側の携帯電話機３１の携帯電話番号と発信元の携帯電話機である発信側の携帯電話機１１の携帯電話番号及びＩＰアドレスが含まれた無線ＬＡＮ起動要求信号を携帯電話通信部１３から携帯電話網５１を通じて着信側の携帯電話機３１へ送信させる（ステップＳ５）。この場合、制御部１２は、無線ＬＡＮ起動要求信号をＳＭＳ（ショート・メッセージ・サービス）信号の形態により送信させても良いし、無線ＬＡＮ起動要求信号を電子メール信号の形態により送信させても良い。
【００２４】
着信側の携帯電話機３１において、制御部３２は、携帯電話機３１の電源が投入されている状態では、発信側の携帯電話機１１から無線ＬＡＮ起動要求信号が携帯電話網５１を通じて携帯電話通信部３３に受信されたか否かを判定し（ステップＴ１）、発信側の携帯電話機１１から無線ＬＡＮ起動要求信号が携帯電話網５１を通じて携帯電話通信部３３に受信された旨を検出すると（ステップＴ１にて「ＹＥＳ」）、電源制御部４１から動作電力を無線ＬＡＮ通信部３４へ供給させて無線ＬＡＮ通信部３４を起動させる（ステップＴ２）。そして、制御部３２は、この場合も、発信側の処理と同様の処理を行うことにより、無線ＬＡＮ親機との通信状態及び通信内容を判定し、着信側の無線ＬＡＮ通信部３４が通信可能であるか否かを確認する（ステップＴ３）。
【００２５】
ここで、制御部３２は、例えば電波環境が良好である旨や認証結果が正である旨を検出し、着信側の無線ＬＡＮ通信部３４が通信可能である旨を検出すると（ステップＴ４にて「ＹＥＳ」）、着信側の無線ＬＡＮ通信部３４が通信可能である旨を表す無線ＬＡＮ起動応答信号を無線ＬＡＮ通信部３４からＩＰ網６１を通じて発信側の携帯電話機１１へ送信させる（ステップＴ５）。
【００２６】
発信側の携帯電話機１１において、制御部１２は、着信側の携帯電話機３１から無線ＬＡＮ起動応答信号がＩＰ網６１を通じて無線ＬＡＮ通信部１４に受信された旨を検出すると（ステップＳ６にて「ＹＥＳ」）、無線ＬＡＮ起動応答信号を解析して着信側の無線ＬＡＮ通信部３４が通信可能であるか否かを判定する（ステップＳ７）。そして、制御部１２は、着信側の無線ＬＡＮ通信部３４が通信可能である旨を検出すると（ステップＳ７にて「ＹＥＳ」）、発信信号を無線ＬＡＮ通信部１４からＩＰ網６１へ送信させる（ステップＳ８）。
【００２７】
着信側の携帯電話機３１において、制御部３２は、ＩＰ網６１から着信信号が無線ＬＡＮ通信部３４に受信されたか否かを判定し（ステップＴ６）、ＩＰ網６１から着信信号が無線ＬＡＮ通信部３４に受信された旨を検出すると（ステップＴ６にて「ＹＥＳ」）、応答信号を無線ＬＡＮ通信部３４からＩＰ網６１へ送信させる（ステップＴ７）。
【００２８】
発信側の携帯電話機１１において、制御部１２は、ＩＰ網６１から応答信号が無線ＬＡＮ通信部１４に受信されたか否かを判定し（ステップＳ９）、ＩＰ網６１から応答信号が無線ＬＡＮ通信部１４に受信された旨を検出すると（ステップＳ９にて「ＹＥＳ」）、これ以後、自機１１と着信側の携帯電話機３１との音声通話をＩＰ網６１を通じて行う（ステップＳ１０）。これに伴って、着信側の携帯電話機３１において、制御部３２も、これ以後、自機３１と発信側の携帯電話機１１との音声通話をＩＰ網６１を通じて行う（ステップＴ８）。
【００２９】
以上に説明した一連の処理により、着信側の携帯電話機３１では、発信側の携帯電話機１１から無線ＬＡＮ起動要求信号が携帯電話網５１を通じて受信されて初めて無線ＬＡＮ通信部３４が起動することになる。そして、発信側の携帯電話機１１では、着信側の携帯電話機３１の無線ＬＡＮ通信部３４を起動させた以後では、発信側の無線ＬＡＮ通信部１４が通信可能であり、且つ、着信側の無線ＬＡＮ通信部３４が通信可能であると、発信信号をＩＰ網６１へ送信することにより、これ以後、自機１１と着信側の携帯電話機３１との音声通話をＩＰ網６１を通じて行うことになる。
【００３０】
これに対して、着信側の携帯電話機３１において、制御部３２は、例えば電波環境が良好でない旨や認証結果が正でない旨を検出し、着信側の無線ＬＡＮ通信部３４が通信不可能である旨を検出すると（ステップＴ４にて「ＮＯ」）、電源制御部４１から無線ＬＡＮ通信部３４への動作電力の供給を停止させて無線ＬＡＮ通信部３４を起動停止させ（ステップＴ９）、着信側の無線ＬＡＮ通信部３４が通信不可能である旨を表す無線ＬＡＮ起動応答信号を携帯電話通信部３３から携帯電話網５１を通じて発信側の携帯電話機１１へ送信させる（ステップＴ１０）。
【００３１】
発信側の携帯電話機１１において、制御部１２は、着信側の携帯電話機３１から無線ＬＡＮ起動応答信号が携帯電話網５１を通じて携帯電話通信部１３に受信された旨を検出すると（ステップＳ６にて「ＹＥＳ」）、無線ＬＡＮ起動応答信号を解析して着信側の無線ＬＡＮ通信部３４が通信可能であるか否かを判定する（ステップＳ７）。そして、制御部１２は、着信側の無線ＬＡＮ通信部３４が通信不可能である旨を検出すると（ステップＳ７にて「ＮＯ」）、電源制御部２１から無線ＬＡＮ通信部１４への動作電力の供給を停止させて無線ＬＡＮ通信部１４を起動停止させる（ステップＳ１１）。
【００３２】
次いで、制御部１２は、ＩＰ網６１による音声通話が不可能である旨を表す表示メッセージを表示部１８に表示させ（ステップＳ１２）、ユーザにより携帯電話網５１による発信操作が行われたか否かを判定する（ステップＳ１３）。ここで、制御部１２は、ユーザにより携帯電話網５１による発信操作が行われた旨を検出すると（ステップＳ１３にて「ＹＥＳ」）、発信信号を携帯電話通信部１３から携帯電話網５１へ送信させる（ステップＳ１４）。
【００３３】
着信側の携帯電話機３１において、制御部３２は、携帯電話網５１から着信信号が携帯電話通信部３３に受信されたか否かを判定し（ステップＴ１１）、携帯電話網５１から着信信号が携帯電話通信部３３に受信された旨を検出すると（ステップＴ１１にて「ＹＥＳ」）、応答信号を携帯電話通信部３３から携帯電話網５１へ送信させる（ステップＴ１２）。
【００３４】
発信側の携帯電話機１１において、制御部１２は、携帯電話網５１から応答信号が携帯電話通信部１３に受信されたか否かを判定し（ステップＳ１５）、携帯電話網５１から応答信号が携帯電話通信部１３に受信された旨を検出すると（ステップＳ１５にて「ＹＥＳ」）、これ以後、自機１１と着信側の携帯電話機３１との音声通話を携帯電話網５１を通じて行う（ステップＳ１６）。これに伴って、着信側の携帯電話機３１において、制御部３２は、これ以後、自機３１と発信側の携帯電話機１１との音声通話を携帯電話網５１を通じて行う（ステップＴ１３）。
【００３５】
また、発信側の携帯電話機１１において、制御部３１は、例えば電波環境が良好でない旨や認証結果が正でない旨を検出し、発信側の無線ＬＡＮ通信部１４が通信不可能である旨を検出すると（ステップＳ４にて「ＮＯ」）、この場合も、上記したステップＳ１１〜Ｓ１６に記載した処理を行う。
【００３６】
以上に説明した一連の処理により、発信側の携帯電話機１１では、着信側の携帯電話機３１の無線ＬＡＮ通信部３４を起動させたものの、着信側の無線ＬＡＮ通信部３４が通信不可能であるか、または、発信側の無線ＬＡＮ通信部１４が通信不可能であると、自機の無線ＬＡＮ通信部１４を起動停止させると共に着信側の携帯電話機３１の無線ＬＡＮ通信部３４を起動停止させ、発信信号を携帯電話網５１へ送信することにより、これ以後、自機１１と着信側の携帯電話機３１との音声通話を携帯電話網５１を通じて行うことになる。
【００３７】
ところで、以上は、発信側の携帯電話機１１において、発信先の携帯電話機である着信側の携帯電話機３１の携帯電話番号と発信元の携帯電話機である発信側の携帯電話機１１の携帯電話番号及びＩＰアドレスが含まれた無線ＬＡＮ起動要求信号を着信側の携帯電話機３１へ送信する構成を説明したが、必ずしも発信元の携帯電話機である発信側の携帯電話機１１のＩＰアドレスを送信する必要はなく、つまり、発信先の携帯電話機である着信側の携帯電話機３１の携帯電話番号と発信元の携帯電話機である発信側の携帯電話機１１の携帯電話番号が含まれた無線ＬＡＮ起動要求信号を着信側の携帯電話機３１へ送信する構成であっても良い。その場合は、ＩＰ網６１のＩＰサーバ（図示せず）が発信側の携帯電話機１１の携帯電話番号とＩＰアドレスとの対応を管理することになり、着信側の携帯電話機３１は、発信側の携帯電話機１１のＩＰアドレスをＩＰサーバに問合せた後に、無線ＬＡＮ起動応答信号をＩＰ網５１を通じて発信側の携帯電話機１１へ送信することになる。
【００３８】
また、以上は、着信側の携帯電話機３１において、着信側の無線ＬＡＮ通信部３４が通信可能である旨を表す無線ＬＡＮ起動応答信号をＩＰ網６１を通じて発信側の携帯電話機１１へ送信する構成を説明したが、着信側の無線ＬＡＮ通信部３４が通信可能である旨を表す無線ＬＡＮ起動応答信号を携帯電話網５１を通じて発信側の携帯電話機１１へ送信する構成であっても良い。また、以上は、発信側の携帯電話機１１と着信側の携帯電話機３１とが音声通話を行う構成を説明したが、発信側の携帯電話機１１と着信側の携帯電話機３１とがデータ通信を行う構成であっても良い。
【００３９】
以上に説明したように第１の実施形態によれば、携帯電話システム１において、着信側の携帯電話機３１は、発信側の携帯電話機１１から無線ＬＡＮ起動要求信号が受信されると、無線ＬＡＮ通信部３４を起動させ、無線ＬＡＮ通信部３４が通信可能であると、その旨を表す無線ＬＡＮ起動応答信号を発信側の携帯電話機１１へ送信し、発信側の携帯電話機１１は、着信側の携帯電話機３１から無線ＬＡＮ起動応答信号が受信されると、無線ＬＡＮ通信部１３により着信側の携帯電話機３１を発信先とする発信動作を行って自機１１と着信側の携帯電話機３１との音声通話をＩＰ網６１を通じて行うように構成した。
【００４０】
これにより、着信側の携帯電話機３１では、発信側の携帯電話機１１から無線ＬＡＮ起動要求信号が受信されて初めて無線ＬＡＮ通信部３４が起動することになるので、従来のものとは異なって、無線ＬＡＮ通信部３４を常時起動させておく必要はなく、バッテリの消費電力を抑えることができ、携帯電話機としての使い勝手を高めることができる。しかも、着信側の無線ＬＡＮ通信部３４が起動した以後では、着信側の無線ＬＡＮ通信部３４が通信可能であると、発信側の携帯電話機１１が着信側の携帯電話機３１を発信先とする発信動作を行って自機１１と着信側の携帯電話機３１との音声通話をＩＰ網６１を通じて行うことになるので、音声通話を安価に実現することができる。また、この場合は、最初に無線ＬＡＮ起動要求信号を着信側の携帯電話機３１へ送信した発信側の携帯電話機１１が発信動作を行うことになるので、発信者課金を適切に行うこともできる。
【００４１】
（第２の実施形態）
次に、本発明の第２の実施形態について、図６ないし図８を参照して説明する。尚、上記した第１の実施形態と同一部分については説明を省略し、異なる部分について説明する。上記した第１の実施形態は、着信側の携帯電話機３１が無線ＬＡＮ起動応答信号を発信側の携帯電話機１１へ送信することにより、発信側の携帯電話機１１が発信信号をＩＰ網６１へ送信する構成であるが、これに対して、第２の実施形態は、着信側の携帯電話機３１が無線ＬＡＮ起動応答信号を発信側の携帯電話機１１へ送信しないことにより、着信側の携帯電話機３１が発信信号をＩＰ網６１へ送信する構成である。
【００４２】
すなわち、着信側の携帯電話機３１において、制御部３２は、着信側の無線ＬＡＮ通信部３４が通信可能である旨を検出すると（ステップＴ４にて「ＹＥＳ」）、着信側の無線ＬＡＮ通信部３４が通信可能である旨を表す無線ＬＡＮ起動応答信号を無線ＬＡＮ通信部３４からＩＰ網６１を通じて発信側の携帯電話機１１へ送信させることなく、発信信号を無線ＬＡＮ通信部３４からＩＰ網６１へ送信させる（ステップＴ２１）。
【００４３】
発信側の携帯電話機１１において、制御部１２は、ＩＰ網６１から着信信号が無線ＬＡＮ通信部１４に受信されたか否かを判定し（ステップＳ２１）、ＩＰ網６１から着信信号が無線ＬＡＮ通信部１４に受信された旨を検出すると（ステップＳ２１にて「ＹＥＳ」）、応答信号を無線ＬＡＮ通信部１４からＩＰ網６１へ送信させる（ステップＳ２２）。
【００４４】
着信側の携帯電話機３１において、制御部３２は、ＩＰ網６１から応答信号が無線ＬＡＮ通信部３４に受信されたか否かを判定し（ステップＴ２２）、ＩＰ網６１から応答信号が無線ＬＡＮ通信部３４に受信された旨を検出すると（ステップＴ２２にて「ＹＥＳ」、これ以後、自機３１と発信側の携帯電話機１１との音声通話をＩＰ網６１を通じて行う（ステップＴ２３）。これに伴って、発信側の携帯電話機１１において、制御部１２も、これ以後、自機１１と着信側の携帯電話機３１との音声通話をＩＰ網６１を通じて行う（ステップＳ２３）。
【００４５】
以上に説明したように第２の実施形態によれば、携帯電話システム１において、着信側の携帯電話機３１は、発信側の携帯電話機１１から無線ＬＡＮ起動要求信号が受信されると、無線ＬＡＮ通信部３４を起動させ、無線ＬＡＮ通信部３４が通信可能であると、無線ＬＡＮ通信部３４により発信側の携帯電話機１１を発信先とする発信動作を行って自機３１と発信側の携帯電話機１１との音声通話をＩＰ網６１を通じて行うように構成した。
【００４６】
これにより、着信側の携帯電話機３１では、発信側の携帯電話機１１から無線ＬＡＮ起動要求信号が受信されて初めて無線ＬＡＮ通信部３４が起動することになるので、上記した第１の実施形態に記載したものと同様にして、無線ＬＡＮ通信部３４を常時起動させておく必要はなく、バッテリの消費電力を抑えることができ、携帯電話機としての使い勝手を高めることができる。しかも、着信側の無線ＬＡＮ通信部３４が起動した以後では、着信側の無線ＬＡＮ通信部３４が通信可能であると、着信側の携帯電話機３１が発信側の携帯電話機１１を発信先とする発信動作を行って自機３１と発信側の携帯電話機１１との音声通話をＩＰ網６１を通じて行うことになるので、上記した第１の実施形態に記載したものと同様にして、音声通話を安価に実現することができる。また、この場合は、発信側の携帯電話機１１が発信動作を行うのではなく、着信側の携帯電話機３１が発信動作を行うことになるので、発信者課金を行うことができないものの、着信側の携帯電話機３１が無線ＬＡＮ起動応答信号を発信側の携帯電話機１１へ送信する手順を省略することができ、音声通話を速やかに開始することができる。
【００４７】
（その他の実施形態）
本発明は、上記した実施形態にのみ限定されるものではなく、以下のように変形または拡張することができる。
着信側の携帯電話機において、発信側の携帯電話機から無線ＬＡＮ起動要求信号が受信された時点で例えば自機にドライブモードが設定されているか否か（自機が移動状態にあるか否か）を判定し、自機にドライブモードが設定されていない場合には無線ＬＡＮ通信部を起動させるものの、自機にドライブモードが設定されている場合には無線ＬＡＮ通信部を起動させない構成であっても良い。
【００４８】
着信側の携帯電話機において、着信側の無線ＬＡＮ通信部が通信可能である場合に、音声通話をＩＰ網を通じて行う旨の予告をユーザに通知する構成であっても良いし、着信側の無線ＬＡＮ通信部が通信不可能である場合、または、発信側の無線ＬＡＮ通信部が通信不可能である場合に、音声通話を携帯電話網を通じて行う旨の予告をユーザに通知する構成であっても良い。
発信側の携帯電話機と着信側の携帯電話機とが異なる構成であっても良い。
【図面の簡単な説明】
【００４９】
【図１】本発明の第１の実施形態の全体構成を示す機能ブロック図
【図２】発信側の携帯電話機の構成を示す機能ブロック図
【図３】着信側の携帯電話機の構成を示す機能ブロック図
【図４】フローチャート
【図５】図４相当図
【図６】本発明の第２の実施形態の全体構成を示す機能ブロック図
【図７】図４相当図
【図８】図４相当図
【符号の説明】
【００５０】
図面中、１は携帯電話システム、１１は携帯電話機（発信側携帯電話機）、１２は制御部（発信側制御手段）、１３は携帯電話通信部（発信側携帯電話通信手段）、１４は無線ＬＡＮ通信部（発信側無線ＬＡＮ通信手段）、３１は携帯電話機（着信側携帯電話機）、３２は制御部（着信側制御手段）、３３は携帯電話通信部（着信側携帯電話通信手段）、３４は無線ＬＡＮ通信部（着信側無線ＬＡＮ通信手段）、５１は携帯電話網、６１はＩＰ網である。
【図１】
2006129020.tif 000003
【図２】
2006129020.tif 000004
【図３】
2006129020.tif 000005
【図４】
2006129020.tif 000006
【図５】
2006129020.tif 000007
【図６】
2006129020.tif 000008
【図７】
2006129020.tif 000009
【図８】
2006129020.tif 000010